(57)【要約】【課題】本発明の解決しようとする課題は、紙と透明フィルムを組合わせた医療用包装袋において、安定した易開封性と衛生性とを兼ね備えた医療用包装袋を提案する。【解決手段】ヒートシール可能な透明表面フィルム２と、樹脂を含浸した、通気性を有する樹脂含浸紙３を対向させて４辺の側端部をヒートシールしてなる医療用包装袋であって、いずれかの側端部に未シール部分７を残した開封開始部６を有し、前記樹脂含浸紙の表面にはヒートシールラッカー４が塗布されており、樹脂含浸紙には、ヒートシールラッカーの浸透を抑制する内添型のサイズ剤が含まれていることを特徴とする医療用包装袋１である。【選択図】図１
2020090306.tif 000002
【特許請求の範囲】
【請求項１】
ヒートシール可能な透明表面フィルムと、樹脂を含浸した、通気性を有する樹脂含浸紙を対向させて４辺の側端部をヒートシールしてなる医療用包装袋であって、いずれかの側端部に未シール部分を残した開封開始部を有し、前記樹脂含浸紙の表面にはヒートシールラッカーが塗布されており、樹脂含浸紙には、ヒートシールラッカーの浸透を抑制する内添型のサイズ剤が含まれていることを特徴とする医療用包装袋。
【請求項２】
前記開封開始部の未シール部分において、透明表面フィルムと樹脂含浸紙の、未シール部分の長さが異なることを特徴とする請求項１に記載の医療用包装袋。
【発明の詳細な説明】
【技術分野】
【０００１】
本発明は、医療用の器具や医療用品、材料等を収納するための包装袋に関し、特に衛生性や開封性を改善した医療用包装袋に関する。
【背景技術】
【０００２】
ピンセット、注射器、メス、カテーテル等の医療用器具類や、各種医療用材料等を収納するための包装袋には、衛生的で、細菌類を遮蔽する性質が必要である反面、内容物を収納、密封後にエチレンオキサイドガス（ＥＯＧ）による滅菌処理を施す必要性から、一定程度の通気性が要求される。また、オートクレーブ滅菌処理、ガンマ線照射処理等の滅菌処理に対する適性も要求される場合がある。
【０００３】
一方これらの包装袋は、手術室や集中治療室（ＩＣＵ）内で開封されることが多いため、開封が容易であって、しかも開封の際に塵埃が飛散しないことが要求される。また内容物の封入も病院内で行われることが想定されるため、一般の包装袋に見られるような、Ｖ字型等の開封ノッチは切り屑が異物混入の原因となり得ることから、開封ノッチによらない易開封性が要求される。
【０００４】
さらに、これらの包装袋には、内容物が何であるか目視可能な視認性が必要とされるため、以上の要求品質を満たすものとして、裏面側を不織布などの通気性を有する材料とし、表面側を透明性を有する材料とした包装袋が用いられてきた。そしてこの場合の不織布としては、高密度ポリエチレン樹脂製不織布が広く用いられてきた。
【０００５】
特許文献１に記載された易剥離性多層フィルムおよび易剥離性医療用包装体は、上記の目的のために提案されたものであり、裏面側に用いる材料を高密度ポリエチレン製不織布とし、表面側に用いる透明フィルムとして１３５℃以下で高密度ポリエチレン製不織布とヒートシール可能であり、かつ剥離時に当該不織布との界面剥離性を有するイージーピール層を表面層に有することを特徴とする易剥離性多層フィルムとこれを用いた医療用包装体である。
【０００６】
また特許文献２に記載された易開封型医療器具用容器は、片面にエチレン−酢酸ビニル共重合体からなる易剥離型接着層を設けた塩化ビニル系樹脂シートを、この面が内側になるように成形してなる容器本体に、ポリエチレン系不織布よりなる蓋をヒートシールしてなることを特徴とする易開封型医療器具用容器である。
【０００７】
これらの用途に用いられている高密度ポリエチレン樹脂製不織布は、比較的高価であることから、これに替わるものとして、滅菌紙などの紙を用いる検討がなされている。しかし通常の紙を用いた場合、開封時に紙粉が飛散する惧れがあるため、紙に樹脂を含浸して紙粉が発生し難いようにした含浸紙を用いることが検討された。
【０００８】
含浸紙と透明フィルムの組み合わせによる包装袋を作成する場合、ヒートシール性を付与するために、含浸紙側にヒートシールラッカーを塗布する手段が用いられる。この包装袋を開封する場合には、ヒートシールラッカー層内の凝集剥離によって易開封性が発現するものであるが、通常の含浸紙を用いた場合、ヒートシールラッカーが紙層内に浸み込むためヒートシールラッカー層の凝集剥離が生じ難くなり、ヒートシール強度が強すぎる結果となる。またこのような場合に無理に開封しようとすると紙層の破壊を招き、紙粉の飛散が生じる惧れがあった。
【先行技術文献】
【特許文献】
【０００９】
【特許文献１】特開２０１４−１６２１６２号公報
【特許文献２】実用新案登録第２６０１１９２号公報
【発明の概要】
【発明が解決しようとする課題】
【００１０】
本発明の解決しようとする課題は、紙と透明フィルムを組合わせた医療用包装袋において、安定した易開封性と衛生性とを兼ね備えた医療用包装袋を提案するものである。
【課題を解決するための手段】
【００１１】
上記の課題を解決するための手段として、請求項１に記載の発明は、ヒートシール可能な透明表面フィルムと、樹脂を含浸した、通気性を有する樹脂含浸紙を対向させて４辺の側端部をヒートシールしてなる医療用包装袋であって、いずれかの側端部に未シール部分を残した開封開始部を有し、前記樹脂含浸紙の表面にはヒートシールラッカーが塗布されており、樹脂含浸紙には、ヒートシールラッカーの浸透を抑制する内添型のサイズ剤が含まれていることを特徴とする医療用包装袋である。
【００１２】
本発明に係る医療用包装袋は、樹脂含浸紙にヒートシールラッカーの浸透を抑制する内添型のサイズ剤を添加したことにより、ヒートシールラッカーの浸透が抑制され、ヒートシールラッカーが樹脂含浸紙表面に多く留まることから、開封時にヒートシールラッカーの凝集剥離による易剥離性が発揮される。
【００１３】
また、請求項２に記載の発明は、前記開封開始部の未シール部分において、透明表面フィルムと樹脂含浸紙の、未シール部分の長さが異なることを特徴とする請求項１に記載の医療用包装袋である。
【発明の効果】
【００１４】
本発明に係る医療用包装袋は、表面側を透明フィルムとし、裏面側を通気性を有する樹脂含浸紙としたので、内容物が視認でき、密封後のＥＯＧによる滅菌処理が可能である。また、樹脂含浸紙にヒートシールラッカーの浸透を抑制する内添型のサイズ剤を添加したことにより、ヒートシールラッカーの浸透が抑制され、ヒートシールラッカーが樹脂含浸紙表面に多く留まることから、開封時にヒートシールラッカーの凝集剥離による易剥離性が発揮される。
【００１５】
請求項２に記載の発明のように、前記開封開始部の未シール部分において、透明表面フィルムと樹脂含浸紙の、未シール部分の長さが異なるようにした場合には、開封時の手掛かりが掴み易く、速やかな開封が可能となる。
【図面の簡単な説明】
【００１６】
【図１】図１は、本発明に係る医療用包装袋の一実施態様を模式的に示した平面説明図である。
【図２】図２は、図１のＡ−Ａ´断面を模式的に示した断面説明図である。
【図３】図３は、本発明に係る医療用包装袋の他の実施態様を模式的に示した平面説明図である。
【図４】図４は、図３のＢ−Ｂ´断面を模式的に示した断面説明図である。
【図５】図５は、本発明に係る医療用包装袋のシール部を開封する状態を模式的に示した拡大断面説明図である。
【発明を実施するための形態】
【００１７】
以下図面を参照しながら、本発明に係る医療用包装袋について詳細に説明する。図１は、本発明に係る医療用包装袋の一実施態様を模式的に示した平面説明図であり、注射器を収納して、周縁部をヒートシールした状態を示している。図２は、図１のＡ−Ａ´断面を模式的に示した断面説明図である。また、図５は、本発明に係る医療用包装袋のシール部を開封する状態を模式的に示した拡大断面説明図である。
【００１８】
本発明に係る医療用包装袋１は、ヒートシール可能な透明表面フィルム２と、樹脂を含浸した、通気性を有する樹脂含浸紙３を対向させて４辺の側端部をヒートシールしてなる医療用包装袋であって、いずれかの側端部に未シール部分７を残した開封開始部６を有し、樹脂含浸紙３の表面にはヒートシールラッカー４が塗布されており、樹脂含浸紙３には、ヒートシールラッカー４の浸透を抑制する内添型のサイズ剤が含まれていることを特徴とする医療用包装袋である。
【００１９】
本発明に係る医療用包装袋は、表面側が透明フィルムであるから、内容物を目視で視認することができ、取り間違いや、不必要に開封してしまうような事故が未然に防止できる。また、裏面側には通気性を有する樹脂含浸紙が用いられているので、内容物を密封後にＥＯＧ滅菌処理を行うことができる。
【００２０】
裏面側に紙を用いたことにより、高価な高密度ポリエチレン樹脂製不織布を用いる必要がなく、安価に製造できる。また樹脂含浸紙としたことにより、開封時に紙粉が飛散することがない。さらに樹脂含浸紙には、内添型のサイズ剤を用いたので、ヒートシールラッカーを塗布する際に、ヒートシールラッカーの浸み込みが抑制される。このため、ヒートシールラッカーの多くが樹脂含浸紙表面に残留するため、図５に示したように、開封時に層間の界面剥離ではなく、ヒートシールラッカー層内の凝集破壊による開封が行われ、本来のイージーピール性が発揮される。
【００２１】
本発明に係る医療用包装袋においては、いずれかの側端部に未シール部分７を残した開封開始部６を有するので、開封が容易であり、樹脂含浸紙を破って開封することがないので、紙粉の飛散が生じない。このため、手術室内等の塵埃を忌避する場所においても問題なく使用することができる。
【００２２】
図３は、本発明に係る医療用包装袋１の他の実施態様を模式的に示した平面説明図である。また図４は、図３のＢ−Ｂ´断面を模式的に示した断面説明図である。この実施態様においては、開封開始部６の未シール部分７において、透明表面フィルム２と樹脂含浸紙３の、未シール部分の長さが異なることを特徴とする。図３、４に示した例では樹脂含浸紙３よりも透明表面フィルム２の方が長い。
【００２３】
このようにすることにより、開封時に未シール部分７を確実に指先で開いて摘むことができ、開封を素早く行うことができる。透明表面フィルム２と樹脂含浸紙３のどちらを長くするかは任意であり、どちらが長くても効果は同様に期待できる。
【００２４】
透明表面フィルム２の材質としては、ヒートシール可能であってＥＯＧ滅菌処理やオートクレーブ滅菌処理あるいはガンマ線照射処理に対応できる材質が選択される。具体的には、ポリエチレンテレフタレート（ＰＥＴ）樹脂フィルム、塩化ビニル樹脂フィルム、ポリスチレン樹脂フィルム、ポリプロピレン（ＰＰ）樹脂フィルム、ポリエチレン（ＰＥ）樹脂フィルム、ポリウレタン樹脂フィルム、オレフィン系エラストマーフィルム等から選
択される。
【００２５】
樹脂含浸紙３としては、医療用包材として実績のある製品が各製紙会社から上市されている。一例としては、特種東海製紙社製の、商品名Ｓベラン等が挙げられる。樹脂含浸紙に添加される内添型サイズ剤としては、強化（変性）ロジンサイズ剤、ロジンエマルジョンサイズ剤、合成サイズ剤、ロジン系弱酸性サイズ剤、アルキルケテンダイマーサイズ剤（ＡＫＤ）、アルケニル無水コハク酸サイズ剤（ＡＳＡ）、カチオンポリマーサイズ剤、ロジン系中性サイズ剤等から選択することができる。
【００２６】
樹脂含浸紙のサイズ度については、ＪＩＳ  Ｐ８１２２紙及び板紙−サイズ度試験方法−ステキヒト法に規定される方法で、２６秒以上であることが望ましい。
【００２７】
樹脂含浸紙に塗布するヒートシールラッカーについても、各社から発売されているので、透明表面フィルムの材質に合わせて適宜選択する。樹脂系としては、エチレン−酢酸ビニル共重合体樹脂系、アクリル樹脂系、ポリエステル樹脂系、ウレタン樹脂系、あるいはこれらの混合系である。以下実施例に基いて、本発明に係る医療用包装袋についてさらに具体的に説明する。
【００２８】
＜実施例１＞
内添型サイズ剤を含む樹脂含浸紙として、東海特種製紙社製ＳベランＮＦＡ（坪量９５．０ｇ／ｍ２）を使用し、この表面にＥＶＡ樹脂系ヒートシールラッカー（ＤＩＣ社製  Ｍ７５０）を５ｇ／ｍ２（ｄｒｙ）塗布した。透明表面フィルムとして厚さ３０μｍの塩化ビニル樹脂フィルムを用いて、１２０℃、４ｋｇ、１．６秒の条件でヒートシールして、図１に示したような医療用包装袋を作成した。
【００２９】
＜比較例１＞
比較例として、サイズ剤を含まない樹脂含浸紙（東海特種製紙社製ＳベランＮＦＢ、坪量９５．０ｇ／ｍ２）を用いた以外は、実施例１と同様にして医療用包装袋を作成した。
【００３０】
実施例の包装袋と比較例の包装袋について、シール部のシール強度を測定すると共に、開封性を比較した結果を表１に示す。
【００３１】
【表１】
2020090306.tif 000003
【００３２】
実施例１のサイズ剤を含む樹脂含浸紙を用いた包装袋は、シール強度が４．７Ｎ／１５ｍｍで開封性も良好であったのに対して、比較例１のサイズ剤を含まない樹脂含浸紙を用いた包装袋は、シール強度が６．５Ｎ／１５ｍｍと高く、開封性も劣るものであった。
【符号の説明】
【００３３】
１・・・医療用包装袋
２・・・透明表面フィルム
３・・・樹脂含浸紙
４・・・ヒートシールラッカー
５・・・シール部
６・・・開封開始部
７・・・未シール部
１０・・・内容物
【図１】
2020090306.tif 000004
【図２】
2020090306.tif 000005
【図３】
2020090306.tif 000006
【図４】
2020090306.tif 000007
【図５】
2020090306.tif 000008